(57)【特許請求の範囲】
【請求項１】
可撓な表示画面（１０）と、指紋識別モジュール（３０）と、ハウジング（２０）とを備えており、前記ハウジング（２０）は、互いに接続された上面（２０１）および側面（２０２）を有し、前記側面（２０２）は、取り付け溝（２０３）を定めており、前記指紋識別モジュール（３０）は、前記取り付け溝（２０３）内に収容され、前記可撓な表示画面（１０）は、互いに接続された固定部分（１０１）および可動部分（１０２）を備え、前記固定部分（１０１）は、前記上面（２０１）に取り付けられ、前記可動部分（１０２）は、前記上面（２０１）を過ぎて延びている、電子装置（１００）であって、
前記可動部分（１０２）が前記固定部分（１０１）に対して曲げられたとき、前記可動部分（１０２）は、前記側面（２０２）を覆い、前記指紋識別モジュール（３０）は、前記可撓な表示画面（１０）を通して指紋の識別を実行し、前記可動部分（１０２）が前記固定部分（１０１）に対して広げられたとき、前記指紋識別モジュール（３０）は、指が前記側面（２０２）に添えられて前記指紋の識別が実行されるように、前記可撓な表示画面（１０）から露出する、電子装置（１００）。
【請求項２】
前記可動部分（１０２）は、光透過領域（１０３）を有し、前記可動部分（１０２）が前記側面（２０２）を覆うとき、前記光透過領域（１０３）は、前記指紋識別モジュール（３０）が前記光透過領域（１０３）を通して光信号を発信および取得するように前記取り付け溝（２０３）に正対する、請求項１に記載の電子装置（１００）。
【請求項３】
前記側面（２０２）は、底面（２０４）および外周面（２０５）を備え、前記底面（２０４）と前記上面（２０１）とが互いに反対側に配置され、前記外周面（２０５）は、前記上面（２０１）と前記底面（２０４）との間に接続されている、請求項１または２に記載の電子装置（１００）。
【請求項４】
前記取り付け溝（２０３）は、開口部（２０８）と、底壁（２０６）と、側壁（２０７）とを備え、前記開口部（２０８）は、前記ハウジング（２０）の外部に面し、前記底壁（２０６）は、前記開口部（２０８）の反対側にあり、前記側壁（２０７）は、前記底壁（２０６）から延び、前記指紋識別モジュール（３０）は、前記底壁（２０６）に取り付けられている、請求項１から３のいずれか一項に記載の電子装置（１００）。
【請求項５】
前記取り付け溝（２０３）の前記側壁（２０７）に、前記底壁（２０６）に面する位置制限面（２１１）が設けられ、前記指紋識別モジュール（３０）の前記底壁（２０６）から遠い表面が、前記位置制限面（２１１）に当接する、請求項４に記載の電子装置（１００）。
【請求項６】
前記側壁（２０７）は、当接部（２０９）を備え、前記当接部（２０９）は、前記側壁（２０７）から延びて前記指紋識別モジュール（３０）の周囲に当接する、請求項４または５に記載の電子装置（１００）。
【請求項７】
前記当接部（２０９）は、隆起部であり、前記側壁（２０７）は、複数の隆起部を備える、請求項６に記載の電子装置（１００）。
【請求項８】
前記取り付け溝（２０３）の前記開口部（２０８）を覆う透光性カバープレート（４０）をさらに備える、請求項４から７のいずれか一項に記載の電子装置（１００）。
【請求項９】
前記透光性カバープレート（４０）は、前記取り付け溝（２０３）内に取り付けられ、前記透光性カバープレート（４０）の周囲が、前記取り付け溝（２０３）の前記側壁（２０７）に接着される、請求項８に記載の電子装置（１００）。
【請求項１０】
前記透光性カバープレート（４０）は、前記取り付け溝（２０３）を隠すために前記側面（２０２）の色と同じ色を有する、請求項８または９に記載の電子装置（１００）。
【請求項１１】
前記取り付け溝（２０３）の前記側壁（２０７）に、前記取り付け溝（２０３）の前記開口部（２０８）に面する別の位置制限面（２１３）が設けられ、前記透光性カバープレート（４０）の前記底壁（２０６）に面する表面（４０１）が、前記別の位置制限面（２１３）に当接する、請求項８から１０のいずれか一項に記載の電子装置（１００）。
【請求項１２】
前記透光性カバープレート（４０）は、前記表面（４０１）の反対側の別の表面（４０２）をさらに有し、前記別の表面（４０２）は、前記側面（２０２）と同一平面に位置する、請求項１１に記載の電子装置（１００）。
【請求項１３】
前記可動部分（１０２）が前記固定部分（１０１）に対して曲げられたとき、前記可動部分（１０２）は、前記別の表面（４０２）および前記側面（２０２）に適合する、請求項１２に記載の電子装置（１００）。
【請求項１４】
前記取り付け溝（２０３）の深さは、前記取り付け溝（２０３）の軸方向における前記指紋識別モジュール（３０）の厚さよりも大きい、請求項４から１３のいずれか一項に記載の電子装置（１００）。
【請求項１５】
前記取り付け溝（２０３）の前記側壁（２０７）に、前記側壁（２０７）から突出する位置制限ブロック（２１０）が設けられ、前記取り付け溝（２０３）の前記底壁（２０６）に、変形可能な押し部材（２１２）が設けられ、前記変形可能な押し部材（２１２）は、前記指紋識別モジュール（３０）を前記位置制限ブロック（２１０）へと押すように構成されている、請求項１４に記載の電子装置（１００）。
【発明の詳細な説明】
【技術分野】
【０００１】
本開示は、装置の技術分野に関し、より詳細には、電子装置に関する。
【背景技術】
【０００２】
現在、指紋識別技術は、アクセス制御および勤怠管理システムだけでなく、ラップトップ、携帯電話機、自動車、銀行の支払い、などの他の市場の用途においても広く使用されている。
【０００３】
携帯電話機を一例として取り上げると、指紋識別モジュールと表示画面とが、重ね合わせの様相に設計され、携帯電話機の画面対本体比（ｓｃｒｅｅｎ−ｔｏ−ｂｏｄｙ  ｒａｔｉｏ）の向上を容易にしている。一方で、可撓な表示画面が、電子装置の画像表示領域を拡大して、大画面表示を実現することができる。
【発明の概要】
【発明が解決しようとする課題】
【０００４】
本開示が解決しようとする技術的課題は、可撓な表示画面の設置平面度を改善するための電子装置を提供することである。
【課題を解決するための手段】
【０００５】
上記の目的を達成するために、本開示の実施形態は、電子装置を提供する。電子装置は、可撓な表示画面と、指紋識別モジュールと、ハウジングとを含む。ハウジングは、互いに接続された上面および側面を有し、側面には、取り付け溝が設けられ、指紋識別モジュールは、取り付け溝に収容される。可撓な表示画面は、互いに接続された固定部分および可動部分を含み、固定部分は、上面に取り付けられ、可動部分は、上面を過ぎて延びる。可動部分が固定部分に対して曲げられると、可動部分は、側面を覆い、指紋識別モジュールは、可撓な表示画面を通して指紋の識別を実行する。可動部分が固定部分に対して広げられると、指紋識別モジュールは、指が側面に添えられて指紋の識別が実行されるように、可撓な表示画面から露出する。
【０００６】
一実施形態において、可動部分は、光透過領域を有し、可動部分が側面を覆うとき、光透過領域は、指紋識別モジュールが光透過領域を通して光信号を発信および取得するように取り付け溝に正対する。
【０００７】
一実施形態において、側面は、底面および外周面を備え、底面と上面とが互いに反対側に配置され、外周面は、上面と底面との間に接続されている。
【０００８】
一実施形態において、取り付け溝は、開口部と、底壁と、側壁とを含み、開口部は、ハウジングの外部に面し、底壁は、開口部の反対側にあり、側壁は、底壁から延び、指紋識別モジュールは、底壁に取り付けられる。
【０００９】
一実施形態においては、取り付け溝の側壁に、底壁に面する位置制限面が設けられ、指紋識別モジュールの底壁から遠い表面が、位置制限面に当接する。
【００１０】
一実施形態において、側壁は、当接部を備え、当接部は、側壁から延びて指紋識別モジュールの周囲に当接する。
【００１１】
一実施形態において、当接部は、隆起部であり、側壁は、複数の隆起部を備える。
【００１２】
一実施形態において、電子装置は、透光性カバープレートをさらに含み、透光性カバープレートは、取り付け溝の開口部を覆う。
【００１３】
一実施形態において、透光性カバープレートは、取り付け溝内に取り付けられ、透光性カバープレートの周囲が、取り付け溝の側壁に接着される。
【００１４】
一実施形態において、透光性カバープレートは、取り付け溝を隠すために側面の色と同じ色を有する。
【００１５】
一実施形態においては、取り付け溝の側壁に、取り付け溝の開口部に面する別の位置制限面が設けられ、透光性カバープレートの底壁に面する表面が、この別の位置制限面に当接する。
【００１６】
一実施形態において、透光性カバープレートは、前記表面の反対側の別の表面をさらに有し、この別の表面が、側面と同一平面に位置する。
【００１７】
一実施形態において、可動部分が固定部分に対して曲げられたとき、可動部分は、前記別の表面および側面に適合する。
【００１８】
一実施形態において、取り付け溝の深さは、取り付け溝の軸方向における指紋識別モジュールの厚さよりも大きい。
【００１９】
一実施形態においては、取り付け溝の側壁に、側壁から突出する位置制限ブロックが設けられ、取り付け溝の底壁に、変形可能な押し部材が設けられ、変形可能な押し部材は、指紋識別モジュールを位置制限ブロックへと押すように構成される。
【００２０】
関連技術と比較して、本開示は、以下の有益な効果を有する。
【００２１】
指紋識別モジュールがハウジングの上面以外に設けられているため、電子装置の組み立て時に、可撓な表示画面がハウジングの上面に直接取り付けられ、したがって指紋識別モジュールが可撓な表示画面とハウジングとの間の固定を妨げることがないため、可撓な表示画面の設置の平面度が向上する。加えて、可撓な表示画面が折り畳まれた状態にあるとき、指紋識別モジュールと可撓な表示画面とが重なり合い、電子装置の画面対本体比を向上させ、可撓な表示画面が折り畳まれた状態にあるとき、ユーザは、可撓な表示画面を通して指紋の識別を行い、可撓な表示画面が広げられた状態にあるとき、ユーザは、指紋の識別を実現するために自分の指をハウジング上に直接位置させる。本開示の実施形態は、可撓な表示画面が広げられた状態にあるときと折り畳まれた状態にあるときとで異なる指紋の識別のやり方を可能にし、これは楽しさを増し、ユーザ体験を向上させる。
【００２２】
本開示の技術的解決策をより明瞭に説明するために、以下で、実施形態の説明に必要な添付の図面を簡単に紹介する。当然ながら、以下で説明される添付の図面は、本開示のいくつかの実施形態を示しているにすぎず、当業者であれば、これらの図面に基づいて、創造的な努力を払うことなく、他の図面を得ることができる。
【図面の簡単な説明】
【００２３】
【図１】本開示の実施形態による電子装置の概略図である。
【図２】可撓な表示画面が折り畳まれた状態にあるときの本開示の実施形態による電子装置の線Ａ−Ａ’に沿って得た断面図である。
【図３】可撓な表示画面が広げられた状態にあるときの本開示の実施形態による電子装置の線Ａ−Ａ’に沿って得た断面図である。
【図４】本開示の実施形態による電子装置の部分拡大図である。
【図５】本開示の別の実施形態による電子装置の部分拡大図である。
【図６】図５の部分拡大図である。
【発明を実施するための形態】
【００２４】
本発明の実施形態を、添付の図面を参照して説明する。
【００２５】
本発明において、「第１の」および「第２の」などの用語は、本明細書において、説明の目的で使用されており、相対的な重要性または有意性を表示または暗示しようとするものでも、示される技術的特徴の数を暗示しようとするものでもない。したがって、「第１の」および「第２の」で規定された特徴は、この特徴を１つ以上含むことができる。本発明の説明において、用語「複数の」は、とくに断りのない限り、２以上を意味する。
【００２６】
さらに、とくに指定または限定されない限り、「取り付けられた」、「接続された」、「結合した」、「固定された」、などの用語は、広い意味で使用され、当業者であれば個々の状況に応じて理解できるとおり、例えば固定された接続、取り外し可能な接続、または一体的接続であってよく、機械的な接続または電気的な接続であってもよく、直接的な接続または介在の構造を介した間接的な接続であってもよく、２つの要素の内部連絡であってもよい。
【００２７】
一実施形態においては、電子装置が提供される。電子装置は、可撓な表示画面と、指紋識別モジュールと、ハウジングとを含む。ハウジングは、互いに接続された上面および側面を有し、側面は、取り付け溝を定めており、指紋識別モジュールは、取り付け溝に収容される。可撓な表示画面は、互いに接続された固定部分および可動部分を含み、固定部分は、上面に取り付けられ、可動部分は、上面を過ぎて延びている。可動部分が固定部分に対して曲げられると、可動部分は、側面を覆い、指紋識別モジュールは、可撓な表示画面を通して指紋の識別を実行する。可動部分が固定部分に対して広げられると、指紋識別モジュールは、指が側面に添えられて指紋の識別が実行されるように、可撓な表示画面から露出する。
【００２８】
図１が、本開示の実施形態による電子装置１００を示している。電子装置１００は、スマートフォン、携帯情報端末（ＰＤＡ）、タブレット型コンピュータ、ノート型コンピュータ、ウェアラブル機器、または他の携帯端末など、可撓な表示画面１０を有する可搬の電子装置または通信装置であってよいが、電子装置１００は、これらに限定されない。
【００２９】
図２は、電子装置１００が可撓な表示画面１０と、指紋識別モジュール３０と、ハウジング２０とを含むことを示している。ハウジング２０は、互いに接続された上面２０１および側面２０２を有し、上面２０１は、ユーザに面して配置され、可撓な表示画面１０を支えるように構成される。側面２０２は、取り付け溝２０３を定め、取り付け溝２０３は、ハウジング２０の外側に面する開口部２０８を有し、取り付け溝２０３は、指紋識別モジュール３０を収容するように構成される。可撓な表示画面１０は、互いに接続された固定部分１０１および可動部分１０２を含み、固定部分１０１は、上面２０１に取り付けられ、可動部分１０２は、上面２０１を過ぎて延びている。可動部分１０２が固定部分１０１に対して曲げられると、可動部分１０２は、側面２０２を覆い、したがって指紋識別モジュール３０は、可撓な表示画面１０を通して指紋識別を実行する。可動部分１０２が固定部分１０１に対して広げられると、指紋識別モジュール３０は、指を側面２０２に添えて指紋識別を実行できるように、可撓な表示画面１０から露出する。この実施形態において、可動部分１０２が側面２０２を覆うという事実は、可動部分１０２が側面２０２に接するが、可動部分１０２と側面２０２との間の適合が固定部分１０１と上面２０１との間の適合とは異なっており、前者が可動な適合、すなわち表面間の相互接触であり、後者が固定された適合、すなわち表面間の固定であることを意味する。
【００３０】
一実施形態においては、電子装置１００の組み立て時に、指紋識別モジュール３０を、ハウジング２０の側面２０２の取り付け溝２０３に取り付けることができ、可撓な表示画面１０の固定部分１０１が、ハウジング２０の上面２０１に取り付けられ、ハウジング２０の上面２０１は、可撓な表示画面１０の支持面として機能する。可撓な表示画面１０の可動部分１０２は、自由に曲げることが可能であり、可撓な表示画面１０を広げて大きな表示画面とすることができ、あるいは可撓な表示画面１０を保管および運搬のために折り畳むことができる。可動部分１０２が固定部分１０１に対して曲げられると、可動部分１０２は、側面２０２を覆い、したがって指紋識別モジュール３０は、可撓な表示画面１０とハウジング２０との間に配置される。このような場合、ユーザが可撓な表示画面１０のうちの指紋識別モジュール３０に対応する領域に指を位置させると、指紋識別モジュール３０は、ユーザの指紋の取得および識別を実現するために、可撓な表示画面１０を通して光信号を放射し、光信号は指紋において反射し、次いで可撓な表示画面１０を通過して指紋識別モジュール３０によって受信される。可動部分１０２が固定部分１０１に対して広げられると、可撓な表示画面１０は、上面２０１が位置する平面内を広がり、指紋識別モジュール３０は、可撓な表示画面１０から露出し、ユーザは、指紋の識別を実現するために、指を指紋識別モジュール３０に直接位置させることができる。
【００３１】
指紋識別モジュール３０がハウジング２０の上面２０１以外に配置されているため、可撓な表示画面１０が電子装置１００の組み立て時にハウジング２０の上面２０１に直接取り付けられ、したがって指紋識別モジュール３０が可撓な表示画面１０とハウジング２０との間の固定を妨げることがないため、可撓な表示画面１０の設置の平面度が向上する。加えて、可撓な表示画面１０が折り畳まれた状態にあるとき、指紋識別モジュール３０と可撓な表示画面１０とが重なり合い、電子装置１００の画面対本体比が向上する。可撓な表示画面１０が折り畳まれた状態にあるとき、ユーザは、可撓な表示画面１０を通して指紋の識別を行い、可撓な表示画面１０が広げられた状態にあるとき、ユーザは、指紋の識別を実現するために自分の指をハウジング２０上に直接位置させる。可撓な表示画面１０は、広げられた状態と折り畳まれた状態とで異なる指紋の識別のやり方を可能にし、これは楽しさを増し、ユーザ体験を向上させる。
【００３２】
一実施形態において、指紋識別モジュール３０は、光信号によって指紋の画像を識別する光学式指紋識別モジュール３０である。指紋識別モジュール３０によって識別される光信号を、指紋識別モジュール３０自体によって放射でき、次いで可撓な表示画面１０を透過した後にユーザの指によって反射させることができる。あるいは、指紋識別モジュール３０によって識別される光信号を、可撓な表示画面１０によって放射でき、次いでユーザの指によって反射させることができ、反射光が可撓な表示画面１０を通過して、指紋識別モジュール３０に進入する。当然ながら、他の実施形態において、指紋識別モジュール３０は、容量式指紋識別モジュール３０、超音波指紋識別モジュール３０、などであってよい。
【００３３】
随意により、可撓な表示画面１０は、曲げることが可能な表示パネルである。可撓な表示画面１０は、表示機能とタッチ制御機能とを同時に実現するタッチスクリーンであってよい。可撓な表示画面１０は、有機発光ダイオード（ＯＬＥＤ）表示パネルであってよい。
【００３４】
一実施形態において、図２は、側面２０２が底面２０４および外周面２０５を含み、底面２０４が、上面２０１の反対側に配置され、外周面２０５が、上面２０１と底面２０４との間に接続されていることを示している。随意により、取り付け溝２０３を、側面２０２または底面２０４に定めることができる。複数の取り付け溝２０３を設けることが可能である。複数の取り付け溝２０３を、側面２０２および／または底面２０４に定めることができる。複数の指紋識別モジュール３０が、複数の取り付け溝２０３に配置される。
【００３５】
図３が、一実施形態を示しており、取り付け溝２０３が、ハウジング２０の外周面２０５に定められている。可撓な表示画面１０が広げられた状態にあるとき、可撓な表示画面１０は、上面２０１が位置する平面内を広がり、外周面２０５は上面２０１と交差しているがゆえ、可撓な表示画面１０が外周面２０５を覆うことがなく、したがって指紋識別モジュール３０は、可撓な表示画面１０の外に露出する。
【００３６】
可撓な表示画面１０が折り畳まれた状態にあるとき、可動部分１０２は、外周面２０５に向かって固定部分１０１に対して曲げられ、外周面２０５を覆う。このような場合、可動部分１０２を外周面２０５に適合させることができ、指紋識別モジュール３０がハウジング２０と可撓な表示画面１０との間に配置され、可撓な表示画面１０を通して指紋の取得を行う。
【００３７】
一実施形態における可撓な表示画面１０は、光透過領域１０３を有することができ、可動部分１０２が側面２０２を覆うとき、光透過領域１０３が取り付け溝２０３の真向かいに位置し、したがって指紋識別モジュール３０が光透過領域１０３を通して光信号を送信および取得すると、理解することができる。
【００３８】
図４が、随意による実施形態を示しており、取り付け溝２０３が、ハウジング２０の外側に向かって開口部を有し、底壁２０６および側壁２０７をさらに含んでいる。底壁２０６は、開口部２０８とは反対側にあり、側壁２０７は、底壁２０６から延びており、指紋識別モジュール３０は、底壁２０６に取り付けられている。指紋識別モジュール３０を、底壁２０６に接着することができる。取り付け溝２０３の形状およびサイズは、この用途において限定されないと理解することができる。
【００３９】
随意により、側壁２０７に当接部２０９が設けられ、当接部２０９は、側壁２０７から延び、指紋識別モジュール３０の周囲に当接して、取り付け溝２０３における指紋識別モジュール３０の設置安定性を向上させることで、指紋識別モジュール３０の識別効率を改善する。例えば、当接部２０９は、隆起部であってよく、側壁２０７に複数の隆起部を設けることができる。
【００４０】
特定の実施形態において、可撓な表示画面１０が側面２０２を覆うとき、可撓な表示画面１０は、側面２０２に対して実質的に平行である。指紋識別モジュール３０の信号取得面と指紋識別モジュール３０の底壁２０６への取り付けの表面との間には、例えば平行関係または所定の内角など、特定の相対位置関係が設けられる。随意により、指紋識別モジュール３０の信号取得面は、指紋識別モジュール３０の底壁２０６への取り付けの表面と平行である。その場合、底壁２０６を側面２０２に対して平行に配置することにより、指紋識別モジュール３０が可撓な表示画面１０を透過した光信号をより良好に取得でき、指紋識別モジュール３０の識別精度がより高くなるように、指紋識別モジュール３０の信号取得面を可撓な表示画面１０に対して平行にすることができる。
【００４１】
随意により、取り付け溝２０３の深さは、取り付け溝２０３の軸方向における指紋識別モジュール３０の厚さよりも大きくてよい。このような場合、指紋識別モジュール３０は、取り付け溝２０３内に完全に収容されるだけでなく、側面２０２と協働してギャップを定め、組み立ての困難性を軽減するとともに、組み立てられる他の部品のための空間を確保する。
【００４２】
随意による実施形態として、上述の実施形態に基づいて、図４を参照すると、ハウジング２０は、取り付け溝２０３の側壁２０７から突出する位置制限ブロック２１０をさらに含み、位置制限ブロック２１０は、底壁２０６に面する第１の位置制限面２１１を有し、指紋識別モジュール３０のうちの底壁２０６から遠い表面が、第１の位置制限面２１１に当接する。
【００４３】
一実施形態において、第１の位置制限面２１１は、取り付け溝２０３の開口部２０８へと向かう方向において指紋識別モジュール３０の位置を制限するように構成され、第１の位置制限面２１１の配置によって、取り付け溝２０３の軸方向における指紋識別モジュール３０の設置安定性が向上し、指紋識別モジュール３０の識別効率が改善される。
【００４４】
一実施形態において、位置制限ブロック２１０は、外力の作用下で或る程度まで変形可能である。位置制限ブロック２１０が外力ゆえに変形し、したがって指紋識別モジュール３０が取り付け溝２０３に設置される。外力が取り除かれると、位置制限ブロック２１０は、元の形状へと戻る。位置制限ブロック２１０の配置は、指紋識別モジュール３０の組み立ての困難性の低減に役立つ。
【００４５】
随意により、取り付け溝２０３の底壁２０６に、押し部材２１２が設けられる。押し部材２１２は、外力の作用のもとで変形する。押し部材２１２は、指紋識別モジュール３０を第１の位置制限面２１１に押し付けるように構成されている。このような場合、底壁２０６と、押し部材２１２と、第１の位置制限面２１１とが、指紋識別モジュール３０の位置を良好に制限するように互いに適合する。一方で、押し部材２１２は、機械加工公差の一部を吸収して、指紋識別モジュール３０の組み立ての困難性を軽減することができる。
【００４６】
具体的には、押し部材２１２は、ばね、発泡体、ゴム、などの弾性部材である。当然ながら、他の実施形態において、押し部材２１２は、指紋識別モジュール３０に適合して指紋識別モジュール３０を押すことができる限りにおいて、可撓な部材であってよい。
【００４７】
随意による実施形態として、上述の実施形態に基づいて、図５を参照すると、電子装置１００は、透光性カバープレート４０をさらに含み、透光性カバープレート４０は、取り付け溝２０３の開口部２０８を覆う。透光性カバープレート４０は、取り付け溝２０３の開口部２０８に設けられ、具体的には、取り付け溝２０３の開口部２０８内に設けられても、取り付け溝２０３の開口部２０８の外側に設けられてもよい。また、透光性カバープレート４０は、指紋識別用の光を透過させることができる一方で、埃や水の付着を防ぎ、取り付け溝２０３内の指紋識別モジュール３０を損傷などから保護するように機能する。この実施形態を、単独または上述の実施形態と組み合わせて実施することができる。
【００４８】
さらに、透光性カバープレート４０の色は、側面２０２の色と同一または同様であり、すなわち透光性カバープレート４０と側面２０２との間の色の違いを裸眼で識別することがユーザにとって困難であり、見た目の色の違いを回避するために、取り付け溝２０３を隠し、電子装置１００の全体としての視覚的効果を改善する。
【００４９】
図６は、位置制限ブロック２１０が、取り付け溝２０３の側壁２０７上の第２の位置制限面２１３を有し、第２の位置制限面２１３は、取り付け溝２０３の開口部２０８に面していることを示している。透光性カバープレート４０は、第１の表面４０１を有し、第１の表面４０１は、底壁２０６に面し、第２の位置制限面２１３に当接する。第２の位置制限面２１３は、底壁２０６へと向かう方向における透光性カバープレート４０の位置を制限するように構成され、第２の位置制限面２１３の配置により、軸方向における取り付け溝２０３内の透光性カバープレート４０の設置安定性が向上する。
【００５０】
随意により、透光性カバープレート４０は、取り付け溝２０３の開口部２０８の外側に取り付けられても、取り付け溝２０３内に配置されてもよい。透光性カバープレート４０が取り付け溝２０３内に取り付けられるとき、透光性カバープレート４０のサイズは、透光性カバープレート４０が取り付け溝２０３内にちょうど取り付けられるように、取り付け溝２０３の開口部２０８のサイズと実質的に同じであってよい。このような場合、透光性カバープレート４０を取り付け溝２０３内に固定するために、透光性カバープレート４０の周辺を取り付け溝２０３の側壁２０７に接着することができる。
【００５１】
さらに、透光性カバープレート４０は、第１の表面４０１の反対側の第２の表面４０２も有し、第２の表面４０２は、側面２０２と同一平面に位置する。第１の表面４０１は、第２の表面４０２と平行である。指紋識別モジュール３０の信号取得面は側面２０２と平行であるため、指紋識別モジュール３０の信号取得面は、第１の表面４０１および第２の表面４０２とも平行であり、したがって指紋識別モジュール３０から発せられて指紋識別モジュール３０によって取得される光信号は、第１の表面４０１および第２の表面４０２による屈折を被るよりもむしろ、透光性カバープレート４０を直接的に透過することができ、したがって光信号の損失が少なくなり、指紋識別の精度および効率が改善される。
【００５２】
指紋識別モジュール３０が可撓な表示画面１０から露出しているとき、指を第２の表面４０２上に直接置いて、指紋の識別を実行することができる。第２の表面４０２と側面２０２との間の同一平面配置は、指が第２の表面４０２上に置かれたときの快適さを増すことができる。
【００５３】
可動部分１０２が固定部分１０１に対して曲げられると、可撓な表示画面１０は、第２の表面４０２および側面２０２に適合する。このようにして、可撓な表示画面１０は、第２の表面４０２に対して平行に位置し、光信号損失を低減する。第２の表面４０２と側面２０２との間の同一平面配置は、可撓な表示画面１０の適合の平面度を高め、指紋の識別の精度を向上させることができる。
【００５４】
本開示の実施形態による電子装置１００において、ハウジング２０は、メインボードと、電源と、その他の構成要素（図示せず）とをさらに含む。指紋識別モジュール３０は、メインボードに電気的に接続される。メインボードは、電源に電気的に接続される。メインボード、電源、および指紋識別モジュール３０が協働して、電子装置１００の指紋識別機能を実現する。これらの構成要素の具体的な構造、位置、接続、および制御の関係は、本明細書に限定されないさまざまな実施例を有することができる。
【００５５】
以上、本開示の実施形態を詳しく説明した。本明細書において、本開示の原理および実施例を説明するために、具体的な例が使用されている。上記の実施形態の説明は、あくまでも本開示の方法および中心的な考え方の理解を助けるために使用されているにすぎず、当業者であれば、本開示の考え方に従って具体的な実施例および適用範囲に対して変更を行うことが可能である。したがって、本明細書の内容を、本開示を限定するものとして解釈してはならない。
【図１】
0006768962.tif 000002
【図２】
0006768962.tif 000003
【図３】
0006768962.tif 000004
【図４】
0006768962.tif 000005
【図５】
0006768962.tif 000006
【図６】
0006768962.tif 000007